(57)【要約】【課題】アングル部のビスを露出させず、かつ熱膨張によって波打ち状となることも防止することのできる複合サッシを提供する。【解決手段】窓開口部に装着される金属枠２２と、金属枠２２の室内側に配置された樹脂枠２３とからなる枠体１を備え、樹脂枠２３の室内側部に形成されるアングル部１３を窓開口部の額縁部４にビス３３で固定するものであって、アングル部１３は金属からなる長尺状の押さえ材３０を介して額縁部４にビス３３で固定され、押さえ材３０は露出面を樹脂製のカバー材３１で覆われ、カバー材３１の両端部は枠体１のコーナー部においてそれぞれコーナーキャップ３２に覆われてなる。【選択図】図３
2008190213.tif 000002
【特許請求の範囲】
【請求項１】
窓開口部に装着される金属枠と、該金属枠の室内側に配置された樹脂枠とからなる枠体を備え、前記樹脂枠の室内側部に形成されるアングル部を窓開口部の額縁部にビスで固定する複合サッシにおいて、
前記アングル部は金属からなる長尺状の押さえ材を介して前記額縁部にビスで固定され、前記押さえ材は露出面を樹脂製のカバー材で覆われ、該カバー材の両端部は前記枠体のコーナー部においてそれぞれコーナーキャップに覆われることを特徴とする複合サッシ。
【請求項２】
前記カバー材は前記押さえ材の室外端部から室内端部までの全面を覆うことを特徴とする請求項１記載の複合サッシ。
【請求項３】
前記コーナーキャップは室内側面が略Ｌ字状に形成されると共に、その表面に縦方向に延びる切欠と横方向に延びる切欠が形成されてなることを特徴とする請求項１または２記載の複合サッシ。
【発明の詳細な説明】
【技術分野】
【０００１】
本発明は、金属枠と樹脂枠とからなる枠体の樹脂枠に、窓開口部の額縁部にビスで固定されるアングル部を備えた複合サッシに関し、特にアングル部を固定するビスを露出させないようにした複合サッシに関する。
【背景技術】
【０００２】
従来、建物躯体の窓開口部に装着されるサッシにおいて、その枠体が金属枠とその室内側に設けられる樹脂枠とからなる複合サッシが知られている。このような複合サッシにおいて、樹脂枠の室内側部に設けられるアングル部は、窓開口部の窓額縁に対して、ビス止め固定される。
【０００３】
この場合、アングル部の表面にはビスの頭部が露出するため、意匠性を悪化させることとなる。そこで、ビス止めしたアングル部の露出面を樹脂製のアングルカバーで覆うことで、ビスの頭部を露出しないようにしたものも知られている。このような複合サッシとしては、例えば特許文献１に挙げるようなものがある。
【特許文献１】特開２００４−１２４４０７号公報
【発明の開示】
【発明が解決しようとする課題】
【０００４】
アングル部は樹脂材によって形成されているため、温度変化によって膨張と収縮を繰り返す。これによりビス止め部間が波打ち状となることがあり、意匠性を損なうこととなっていた。また、従来のようにビス止めしたアングル部の露出面を樹脂製のアングルカバーで覆っても、アングルカバーもアングル部の変形に伴って変形するために、意匠性を損なうこととなっていた。
【０００５】
本発明は、上記課題を解決すべくなされたものであり、アングル部のビスを露出させず、かつ熱膨張によって波打ち状となることも防止することのできる複合サッシを提供することを目的とする。
【課題を解決するための手段】
【０００６】
上記課題を解決するため、本発明に係る複合サッシは、窓開口部に装着される金属枠と、該金属枠の室内側に配置された樹脂枠とからなる枠体を備え、前記樹脂枠の室内側部に形成されるアングル部を窓開口部の額縁部にビスで固定する複合サッシにおいて、
前記アングル部は金属からなる長尺状の押さえ材を介して前記額縁部にビスで固定され、前記押さえ材は露出面を樹脂製のカバー材で覆われ、該カバー材の両端部は前記枠体のコーナー部においてそれぞれコーナーキャップに覆われることを特徴として構成されている。
【０００７】
また、本発明に係る複合サッシは、前記カバー材は前記押さえ材の室外端部から室内端部までの全面を覆うことを特徴として構成されている。
【０００８】
さらに、本発明に係る複合サッシは、前記コーナーキャップは室内側面が略Ｌ字状に形成されると共に、その表面に縦方向に延びる切欠と横方向に延びる切欠が形成されてなることを特徴として構成されている。
【発明の効果】
【０００９】
本発明に係る複合サッシによれば、アングル部は金属からなる長尺状の押さえ材を介して額縁部にビスで固定され、押さえ材は露出面を樹脂製のカバー材で覆われ、カバー材の両端部は枠体のコーナー部においてそれぞれコーナーキャップに覆われることにより、アングル部にビスの頭部が露出しないようにして、意匠性を向上させることができ、また押さえ材によってアングル部が温度変化により波打ち状に変形することを防止し、さらにカバー材の伸縮はコーナーキャップに覆われることにより露出させないことができるので、意匠性をさらに向上させることができる。
【００１０】
また、本発明に係る複合サッシによれば、カバー材は押さえ材の室外端部から室内端部までの全面を覆うことにより、押さえ材が一切外部に露出しないようにすることができて、意匠性をさらに向上させることができる。
【００１１】
さらに、本発明に係る複合サッシによれば、コーナーキャップは室内側面が略Ｌ字状に形成されると共に、その表面に縦方向に延びる切欠と横方向に延びる切欠が形成されてなることにより、必要に応じて縦方向の切欠または横方向の切欠、あるいは両方を切り取ることができて室内側面のサイズを変更することができる。このため、無目や方立を介して連結される部分にも同じコーナーキャップを用いることができるので、部品の共用化によるコストダウンを図ることができる。
【発明を実施するための最良の形態】
【００１２】
本発明の複合サッシの実施形態について図面に沿って詳細に説明する。図１には本実施形態における複合サッシの縦断面図を、図２にはその横断面図を、それぞれ示している。これら各図に示すように、本実施形態における複合サッシは、建物躯体の開口部Ａに取付けられる方形状の枠体１内にガラス体２を納めてなる嵌め殺し窓である。
【００１３】
枠体１は、枠材である上枠１０と下枠１１及び左右の縦枠１２、１２を方形状に枠組みして構成される。上枠１０は金属上枠２０とその室内側に取付けられる樹脂上枠２１とからなり、下枠１１は金属下枠２２とその室内側に取付けられる樹脂下枠２３とからなり、縦枠１２は金属縦枠２４とその室内側に取付けられる樹脂縦枠２５とからなっている。金属上枠２０と金属下枠２２及び金属縦枠２４は、いずれもアルミの押出型材によって形成される。樹脂上枠２１と樹脂下枠２３及び樹脂縦枠２５は、いずれも合成樹脂によって形成され、また室内側端部には四周に渡って室内側に向かって延出されるアングル部１３が一体的に形成されている。アングル部１３は、枠体１の室内側に設けられる額縁部４の内周面に当接し、ビス止め固定される。
【００１４】
金属上枠２０には、室外側部の内周面に下方に向かって突出する気密材保持部２０ａが形成され、その先端部分には気密材３が設けられてガラス体２の室外面を押圧している。また、樹脂上枠２１には、アングル部１３より室外側の内周面に、上押縁材２６が取付けられ、その室外下端部には気密材３が設けられてガラス体２の室内面を押圧している。このように、これら金属上枠２０の気密材保持部２０ａと上押縁材２６とに設けられる気密材３によって、ガラス体２の上辺を内外から挟持する。
【００１５】
金属縦枠２４には、室外側部の内周面に内側に向かって突出する気密材保持部２４ａが形成され、その先端部分には気密材３が設けられてガラス体２の室外面を押圧している。また、樹脂縦枠２５には、アングル部１３より室外側の内周面に、縦押縁材２７が取付けられ、その室外端部には気密材３が設けられてガラス体２の室内面を押圧している。このように、これら金属縦枠２４の気密材保持部２４ａと縦押縁材２７とに設けられる気密材３によって、ガラス体２の縦辺を内外から挟持する。
【００１６】
金属下枠２２には、室外側部の内周面に上方に向かって突出する気密材保持部２２ａが形成され、その先端部分には気密材３が設けられてガラス体２の室外面を押圧している。また、樹脂下枠２３の室外端部には気密材３が設けられてガラス体２の室内面を押圧している。このように、これら金属下枠２２の気密材保持部２２ａと樹脂下枠２３とに設けられる気密材３によって、ガラス体２の下辺を内外から挟持する。
【００１７】
次に、アングル部１３の構成についてさらに詳細に説明する。図３には、図１のうち下枠１１付近の拡大図を示している。この図に示すように、樹脂下枠２３に形成されるアングル部１３には、その上面を覆うように金属製の押さえ材３０が設けられ、さらにその押さえ材３０の室外端部から室内端部までの全面を覆うカバー材３１が設けられる。
【００１８】
押さえ材３０は、上面部３０ａと室内面部３０ｂとが断面略Ｌ字状となるように一体的に形成されてなる長尺材からなり、上面部３０ａによりアングル部１３の上面を、室内面部３０ｂによりアングル部１３の室内面を、それぞれ覆っている。また、押さえ材３０は、長手方向所定間隔毎に設けられるビス３３によって、アングル部１３と共に額縁部４に対して固定される。このように、金属材からなる押さえ材３０によってアングル部１３をビス止め固定することとしたので、アングル部１３が温度変化により膨張と収縮を繰り返しても、ビス止め部間が波打ち状となることを防止することができる。
【００１９】
カバー材３１は、樹脂材によって形成され、押さえ材３０の全面を覆うことができるように、上面部３１ａと室内面部３１ｂとが断面略Ｌ字状となるように一体的に形成されてなる長尺材からなる。そして、上面部３１ａによって押さえ材３０の上面部３０ａを、室内面部３１ｂによって押さえ材３０の室内面部３０ｂを、それぞれ覆っている。また、上面部３１ａの室外端部には、室外係合部３１ｃが形成されており、これが押さえ材３０の室外端部に対して係合する。さらに、室内面部３１ｂの下端部には、室内係合部３１ｄが形成されており、これが押さえ材３０の室内端部に対して係合する。これらによってカバー材３１が押さえ材３０に対して固定される。このように、カバー材３１は押さえ材３０の全面を覆うと共に、押さえ材３０に対してビスを用いることなく係合によって固定されるので、カバー材３１が温度変化により膨張と収縮を繰り返しても、波打ち状に変形することがない。
【００２０】
これら押さえ材３０及びカバー材３１は、図３に示した下枠１１のアングル部１３のみならず、上枠１０及び縦枠１２のアングル部１３に対しても同様に取付けられる。これにより、四周に渡ってアングル部１３は押さえ材３０を介して額縁部４にビス止め固定され、さらにカバー材３１によって押さえ材３０の露出面が覆われる。
【００２１】
また、カバー材３１の両端部は、枠体１のコーナー部に配置され、このコーナー部においてそれぞれコーナーキャップ３２によって覆われる。図４には、コーナーキャップ３２の斜視図を示している。この図に示すように、コーナーキャップ３２は、連結される２つの枠材に設けられるカバー材３１の各上面部３１ａをそれぞれ覆うことができるように、縦側被覆部３２ａと横側被覆部３２ｂとが直交するように一体的に形成されている。また、枠体１のコーナー部に取付けられた際に、室内側に面してカバー材３１の室内面部３１ｂを覆う室内面部３２ｃと、室外側に面してカバー材３１の室外係合部３１ｃを覆う室外面部３２ｄが、それぞれ形成されている。
【００２２】
図５には、コーナーキャップ３２の平面図を示している。この図に示すように、縦側被覆部３２ａの内面側には、突出する係合爪３２ｇが２つ形成されている。この係合爪３２ｇは、縦枠１２の端部に設けられる受部品３４に係合されて、コーナーキャップ３２を固定する機能を有する。
【００２３】
また、図６には、コーナーキャップ３２の正面図を示している。この図に示すように、コーナーキャップ３２の室内面部３２ｃは、溝状の切欠が縦方向に形成された縦切欠部３２ｅと、横方向に形成された横切欠部３２ｆとをそれぞれ有している。これらは、室内面部３２ｃの一部を切り取ることができるように設けられているもので、コーナーキャップ３２が、無目や方立を介した枠体１の連結部分に取付けられる際に、当該連結部分における押さえ材３０及びカバー材３１の形状に適合するように、縦方向または横方向、あるいは両方向について、室内面部３２ｃが切り取られる。
【００２４】
図７には、受部品３４の斜視図を示している。この図に示すように、受部品３４は薄型の箱形状に形成され、正面にはコーナーキャップ３２の係合爪３２ｇを係合させる係合穴３４ａが２つ形成されている。受部品３４の背面側には、両面テープが設けられて、これによって受部品３４は縦枠１２の内周面に固定される。また、受部品３４の上面には、突出状に突起部３４ｂが２つ形成されている。この突起部３４ｂは、縦枠１２側の押さえ材３０の端部に係合し、押さえ材３０を縦枠１２に対して取付ける際にその脱落を防止する。
【００２５】
図８には、下枠１１と縦枠１２の連結部分を下枠側から見た各部材の納まり図を示している。この図に示すように、縦枠１２のアングル部１３に取付けられる押さえ材３０は、コーナーキャップ３２の縦側被覆部３２ａに対し、端部が呑み込まれた状態となるように配置される。また、押さえ材３０の下端部は、受部品３４の突起部３４ｂに対して係合する。カバー材３１もコーナーキャップ３２の縦側被覆部３２ａに端部が呑み込まれた状態となるが、その下端部は押さえ材３０の下端部より若干上方に配置される。なお、上枠１０と縦枠１２の連結部分においても、各部材の配置は上下反転する以外は同様とされる。
【００２６】
図９には、下枠１１と縦枠１２の連結部分を縦枠側から見た各部材の納まり図を示している。この図に示すように、下枠１１のアングル部１３に取付けられる押さえ材３０は、コーナーキャップ３２の横側被覆部３２ｂに対し、端部が呑み込まれた状態となるように配置される。また、カバー材３１の端部位置も押さえ材３０の端部位置と重なるように配置されている。
【００２７】
これら各押さえ材３０及びカバー材３１は、端部が露出しないようにコーナーキャップ３２に覆われるが、カバー材３１は温度変化により膨張及び収縮することから、受部品３４の表面との間には若干の隙間を設ける。
【００２８】
このように、枠体１のコーナー部において、押さえ材３０及びカバー材３１の端部を覆うコーナーキャップ３２を設けたことにより、カバー材３１が温度変化により膨張、収縮しても、端部を露出しないようにすることができると共に、カバー材３１の波打ちも防止することができる。
【００２９】
以上、本発明の実施形態について説明したが、本発明の適用は本実施形態に限られるものではなく、その技術的思想の範囲内において様々に適用されうるものである。本実施形態では、嵌め殺し窓に本発明を適用したものを示したが、窓の種類はこれに限られず、引き違い窓や開き窓、辷り出し窓など、アングル部を有するあらゆる種類の窓に適用することができる。
【図面の簡単な説明】
【００３０】
【図１】本実施形態におけるサッシの縦断面図である。
【図２】本実施形態におけるサッシの横断面図である。
【図３】図１のうち下枠付近の拡大図である。
【図４】コーナーキャップの斜視図である。
【図５】コーナーキャップの平面図である。
【図６】コーナーキャップの正面図である。
【図７】受部品の斜視図である。
【図８】下枠と縦枠の連結部分を下枠側から見た各部材の納まり図である。
【図９】下枠と縦枠の連結部分を縦枠側から見た各部材の納まり図である。
【符号の説明】
【００３１】
１    枠体
２    ガラス体
３    気密材
４    額縁部
１０    上枠
１１    下枠
１２    縦枠
１３    アングル部
３０    押さえ材
３０ａ  上面部
３１ｂ  室内面部
３１    カバー材
３１ａ  上面部
３１ｂ  室内面部
３１ｃ  室外係合部
３１ｄ  室内係合部
３２    コーナーキャップ
３２ａ  縦側被覆部
３２ｂ  横側被覆部
３２ｃ  室内面部
３２ｄ  室外面部
３２ｅ  縦切欠部
３２ｆ  横切欠部
３２ｇ  係止爪
３３    ビス
３４    受部品
３４ａ  係合穴
３４ｂ  突起部
【図１】
2008190213.tif 000003
【図２】
2008190213.tif 000004
【図３】
2008190213.tif 000005
【図４】
2008190213.tif 000006
【図５】
2008190213.tif 000007
【図６】
2008190213.tif 000008
【図７】
2008190213.tif 000009
【図８】
2008190213.tif 000010
【図９】
2008190213.tif 000011